(57)【特許請求の範囲】
【請求項１】
交流電源コンセントへの電源接続部と、機器との機器接続部と、定期的に機器に流れる電流を検出する電流検出手段と、前記電流検出手段の検出した結果から機器の消費電力を求める電力演算手段と、所定時間内の電力計測結果から保温ヒータＯＮ時の電力を検出する保温電力検出手段と、使用状態判断手段と、報知手段を備え、前記使用状態判断手段は、所定時間以上、前記保温電力検出手段が検出した保温電力以外の電力値が検出されず、保温電力のＯＮ／ＯＦＦパターンのばらつきが所定値未満の場合に、人不使用と判断し報知するジャーポット用電力アダプタ。
【請求項２】
重み付け生活学習手段を備え、前記重み付け生活学習手段は、１日内で前記使用状態判断手段が人不使用と判断した時間帯を最新の所定期間について記憶して不使用度合いを重み付けし不使用度合いを報知する請求項１に記載したジャーポット用電力アダプタ。
【請求項３】
機器接続部ＯＮ／ＯＦＦ手段を備え、前記重み付け生活学習手段が学習した人不使用度合いが所定値以上の時間帯の開始時刻に前記機器接続部ＯＮ／ＯＦＦ手段をＯＦＦして機器の通電を遮断することと、前記重み付け生活学習手段が学習した人不使用度合いが所定値以上の時間帯の終了時刻の所定時間前に前記機器接続部ＯＮ／ＯＦＦ手段をＯＮして機器に通電を行うことの、一方あるいは両方を行う請求項２に記載したジャーポット用電力アダプタ。
【請求項４】
接続機器選択手段を備え、前記接続機器選択手段は選択肢の１つにジャーポットを含み、ジャーポットが選択された時に機能する請求項１〜３のいずれか１項に記載したジャーポット用電力アダプタ。
【発明の詳細な説明】
【０００１】
【発明の属する技術分野】
本発明は、交流電源を利用する機器の使用電力量を計測し、節電を目的とするジャーポット用電力アダプタに関するものである。
【０００２】
【従来の技術】
従来、この種のジャーポット用電力アダプタは、節電をタイマーで実現しており、セッ
トした時間帯を通電遮断するものであった。また、ジャーポット内蔵の機能でもボタンを押すことで、保温ヒータ等をＯＦＦして所定時間後にＯＮするものや所定時間だけ保温温度を低く保って保温に要する電力を少なくするものであった。
【０００３】
【発明が解決しようとする課題】
しかしながら、従来のジャーポット用電力アダプタでは、人がボタンセットしなければならず、また通常タイマーは１つのため平日と休日のような区別はできない。したがってどちらか一方に合わせてセットしなければならず、こまめな節電ができないという問題点を有していた。
【０００４】
【課題を解決するための手段】
本発明は、ジャーポットの保温電力のパターンから人使用状態を判断し報知したり自動的にＯＮ／ＯＦＦする構成として、使用者がこまめに節電できるジャーポット用電力アダプタとしている。
【０００５】
【発明の実施の形態】
請求項１に記載した発明は、交流電源コンセントへの電源接続部と、機器との機器接続部と、定期的に機器に流れる電流を検出する電流検出手段と、前記電流検出手段の検出した結果から機器の消費電力を求める電力演算手段と、所定時間内の電力計測結果から保温ヒータＯＮ時の電力を検出する保温電力検出手段と、使用状態判断手段と、報知手段を備え、前記使用状態判断手段は、所定時間以上、前記保温電力検出手段が検出した保温電力以外が検出されず、保温電力のＯＮ／ＯＦＦパターンのばらつきが所定値未満の場合に、人不使用と判断し報知する構成として、使用者が長時間使用していない場合に報知することで使用者がその場にいるときはもちろん、あとで傍に来た時にも省エネ意識を喚起するジャーポット用電力アダプタとしている。
【０００６】
請求項２に記載した発明は、重み付け生活学習手段を備え、前記重み付け生活学習手段は、１日内で前記使用状態判断手段が人不使用と判断した時間帯を最新の所定期間について記憶して不使用度合いを重み付けし不使用度合いを報知する構成として、使用者が長時間使用していない場合を学習し重み付け結果を予測報知することで使用者が特別な操作なしに自分の生活での電力の無駄がより詳しくわかり節電のめやすがわかるジャーポット用電力アダプタとしている。
【０００７】
請求項３に記載した発明は、機器接続部ＯＮ／ＯＦＦ手段を備え、前記重み付け生活学習手段が学習した人不使用度合いが所定値以上の時間帯の開始時刻に前記機器接続部ＯＮ／ＯＦＦ手段をＯＦＦして機器の通電を遮断することと、前記重み付け生活学習手段が学習した人不使用度合いが所定値以上の時間帯の終了時刻の所定時間前に前記機器接続部ＯＮ／ＯＦＦ手段をＯＮして機器に通電を行うことの、一方または両方を行う構成として、使用者が長時間使用していない場合を学習し重み付け結果に従い自動ＯＮ／ＯＦＦすることで使用者が意識することなくより自分の生活に合わせた節電ができるジャーポット用電力アダプタとしている。
【０００８】
請求項４に記載した発明は、接続機器選択手段を備え、前記接続機器選択手段は選択肢の１つにジャーポットを含み、ジャーポットが選択された時に機能する構成として、他の機器用にも人使用状態判断のアルゴリズムを変更することで対応できるジャーポット用電力アダプタとしている。
【０００９】
【実施例】
（実施例１）
以下本発明の第１の実施例について説明する。図１は本実施例の構成を示すブロック図
である。１は、ジャーポット用電力アダプタの本体（以下単に本体１と称する）、２は電力線、３は本体１が電力線２に接続するための電源接続部、４はジャーポット、５は本体１に機器４を接続するための機器接続部である。本実施例では、電源接続部３はプラグとし、コンセントへ接続するものとしている。本体１は、電源接続部３と機器接続部５の他に、機器接続部５に接続したジャーポット４と電力線２への接続線２本の内の１本からジャーポット４に流れる電流を定期的（本実施例では１秒毎）に検出する電流検出手段６と、電流検出手段６で検出した結果から消費電力を求める電力演算手段７と、電力演算手段７により算出される電力の所定時間内の電力計測結果（本実施例では計測開始後１時間の結果、即ち３６００個のサンプリングデータ）から保温ヒータＯＮ時の電力を検出する保温電力検出手段８と、使用状態判断手段９と、報知手段１０を備えている。
【００１０】
以下、本実施例の動作について説明する。図２は本実施例の電力演算手段７が算出した計測開始１時間分の電力値プロットした例である。図３は本実施例の電力演算手段７が算出した出湯あるいは注水等何も行わない場合の保温時電力のパターン例である。計測開始１時間分の電力値プロットした例である本体１が電力線に接続されジャーポット４が機器接続部５に接続された状態で、電流検出手段６は、１秒毎にジャーポット４に流れる電流を検出し、その電流値をもとに、電力演算手段７は、同じく１秒毎に電力を算出し続ける。計測開始１時間経過後、即ち３６００個のサンプリングデータが揃った時点で、保温電力検出手段８は、電力値が所定値未満（本実施例では２００Ｗ）で差が±２Ｗの最頻値平均を保温ヒータＯＮ時の電力として検出する。図２では、１１で示した値である（約１００Ｗ）。この保温電力は、図３では１２で示したように１１のレベル（保温ヒータＯＮレベル）と１２のレベル（保温ヒータＯＦＦレベル  約５Ｗ）をほぼ一定のパターンで繰り返しているものである。もちろん、保温ヒータは湯温に応じてＯＮされるものであるが、連続した１時間程度の時間であれば、出湯あるいは注水等何も行わない場合は急激な湯温変化や気温変化等も考慮しなくて良い為、ほぼ一定のパターンで繰り返されると考えて良い。このため、使用状態判断手段９は、１時間の間に図２に示したような保温電力以外の電力１３が検出されず、連続した１時間の保温電力のＯＮ／ＯＦＦパターンのばらつきが所定値未満の場合に人不使用と判断し、その状態が５時間に渡って続けば、報知手段１０でブザーを吹鳴して「長時間不使用」と表示する。
【００１１】
なお、本実施例では、使用状態判断手段９が、「人不使用」と判断する時間を１時間、「長時間人不使用」と報知する時間を５時間以上としたが、実使用に支障のない任意の時間として良く、使用者が設定できるようにしてもかまわない。また、時計機能があれば、昼間と夜間で時間を変えても良い。また、本実施例では、報知手段１０への報知方法を文字表示としたが、ＬＥＤ等を用いたり、音声で行ってもかまわない。
【００１２】
以上のように本実施例によれば、使用者がその場にいるときはもちろん、あとで傍に来た時にも省エネ意識を喚起し、使用者が意識的に長時間不使用時はＯＦＦできるジャーポット用電力アダプタを実現するものである。
【００１３】
（実施例２）
次に本発明の第２の実施例について説明する。図４は本実施例の構成を示すブロック図である。本実施例では、実施例１の構成に加えて、機器接続部ＯＮ／ＯＦＦ手段１４を備えている。機器接続部ＯＮ／ＯＦＦ手段１４は、使用者がジャーポット４の本体１への接続を強制的にＯＮ／ＯＦＦすることもできる機能を有している。
【００１４】
以下、本実施例の動作について説明する。使用状態判断手段９が、長時間不使用と判断し報知するまでの動作は、実施例１と同様である。機器接続部ＯＮ／ＯＦＦ手段１４は、長時間不使用報知がなされてから１０秒間待機して、この間に使用者が機器接続部ＯＮ／ＯＦＦ手段１４を操作して強制的にジャーポット４の本体１への接続を強制的にＯＮした
りする等の何らかの操作や注水等で保温電力以外の電力が検出されなければ、ジャーポット４の本体１への接続をＯＦＦして通電を遮断する。
【００１５】
なお、本実施例では、長時間不使用報知から待機時間を設けて通電を遮断するようにしたが、即遮断してもかまわない。
【００１６】
以上のように本実施例によれば、使用者が長時間使用していない場合は自動ＯＦＦすることで使用者が意識することなく自分の生活に合わせて節電できるジャーポット用電力アダプタを実現するものである。
【００１７】
（実施例３）
次に本発明の第３の実施例について説明する。図５は本実施例の構成を示すブロック図である。本実施例では、実施例２の構成に加えて、生活学習手段１５を備えている。
【００１８】
以下、本実施例の動作について説明する。図６は本実施例の使用状態判断手段９の月曜日の判断結果と生活学習手段１５の学習結果例である。使用状態判断手段９が、人不使用と判断し長時間不使用を報知して通電を遮断するまでの動作は、実施例２と同様である。生活学習手段１５は、まず、使用状態判断手段９が１ヶ月間について１日内で人不使用と判断した時間帯を曜日毎に記憶する。使用開始１ヶ月経過時以降に、生活学習手段１５は、記憶した不使用時間帯のデータからこれらの論理積をとって不使用時間帯を学習し、不使用時間帯を報知手段１０で報知する。即ち図６の例では、「２３時〜翌朝５時」までを不使用時間帯と学習し、報知手段１０で「不使用時間帯は２３時〜翌朝５時」と表示し、２３時時点ではブザーを吹鳴して使用者に知らせる。学習対象となるデータは、最新の１ヶ月間のデータであり、古いデータは随時破棄されていく。
【００１９】
なお、本実施例では、生活学習手段が使用状態判断手段の判断結果を曜日毎に１ヶ月間学習するようにしたが、曜日関係なく１週間、あるいは月〜金と土日の２種について１ヶ月間等のようにしてもかまわない。また、学習対象のデータは最新数ヶ月として学習数を上げても良い。
【００２０】
以上のように本実施例によれば、使用者が長時間使用していない場合を学習し予測して報知することで使用者が特別な操作なしに自分の生活での電力の無駄がわかり節電のめやすがわかるジャーポット用電力アダプタを実現するものである。
【００２１】
（実施例４）
次に本発明の第４の実施例について説明する。本実施例の構成を示すブロック図は、第３の実施例同様の図５である。
【００２２】
以下、本実施例の動作について説明する。使用状態判断手段９が、人不使用と判断し長時間不使用を報知して通電を遮断するまでの動作、生活学習手段１５が不使用時間帯を学習し報知する動作は、実施例３と同様である。図７は、実施例３で示した月曜の１ヶ月間のデータを学習した結果の通電ＯＮ／ＯＦＦタイミングを示している。「不使用時間帯は２３時〜翌朝５時」と生活学習手段１５が学習すると、不使用時間帯の開始時刻、即ち２３時時点で機器接続部ＯＮ／ＯＦＦ手段１４でジャーポット４と本体１との接続をＯＦＦし通電を遮断し、不使用時間帯終了時刻、即ち５時の所定時間前（本実施例では通常家庭用ジャーポットが満水状態で沸き上がるまでの時間に余裕をみた時間である３０分前）に機器接続部ＯＮ／ＯＦＦ手段１４でジャーポット４と本体１との接続をＯＮし通電する。尚、本実施例では、不使用時間帯の連続時間が１時間未満の場合は、その時間帯について通電制御は行わないものとした。
【００２３】
以上のように本実施例によれば、使用者が長時間使用していない場合を学習し予測して自動ＯＮ／ＯＦＦすることで使用者が意識することなく自分の生活に合わせてより節電ができるジャーポット用電力アダプタを実現するものである。
【００２４】
（実施例５）
次に本発明の第５の実施例について説明する。図８は本実施例の構成を示すブロック図である。本実施例では、実施例２の構成に加えて、重み付け生活学習手段１６を備えている。
【００２５】
以下、本実施例の動作について説明する。図９は本実施例の使用状態判断手段９の月曜日の判断結果と重み付け生活学習手段１６の学習結果例である。使用状態判断手段９が、人不使用と判断し長時間不使用を報知して通電を遮断するまでの動作は、実施例２と同様である。重み付け生活学習手段１６は、まず、使用状態判断手段９が１ヶ月間について１日内で人不使用と判断した時間帯を曜日毎に記憶する。使用開始１ヶ月経過時以降に、重み付け生活学習手段１５は、記憶した不使用時間帯のデータから１時間単位でこの単位に人不使用と判断されたことがあるかどうかのカウントをとりデータ全体での割合（不使用度合い）を算出していく。即ち図９の例では、「２２時〜翌朝４時までがカウント４で割合１００％」、「４時〜６時までがカウント３で割合７５％」、「６時〜８時までがカウント１で割合２５％」、「８時〜２０時までがカウント０で割合０％」、「２０時〜２２時までがカウント２で割合５０％」となり、重み付け生活学習手段１６は、その結果の不使用度合いを報知手段１０で報知する。本実施例では、報知手段１０として時間バーの色分けで報知した。学習対象となるデータは、最新の１ヶ月間のデータであり、古いデータは随時破棄されていく。
【００２６】
なお、本実施例では、重み付け生活学習手段が使用状態判断手段の判断結果を曜日毎に１ヶ月間学習するようにしたが、曜日関係なく１週間、あるいは月〜金と土日の２種について１ヶ月間等のようにしてもかまわない。また、学習対象のデータは最新数ヶ月として学習数を上げても良い。
【００２７】
以上のように本実施例によれば、使用者が長時間使用していない場合を学習し重み付け結果を予測報知することで使用者が特別な操作なしに自分の生活での電力の無駄がより詳しくわかり節電のめやすがわかるジャーポット用電力アダプタを実現するものである。
【００２８】
（実施例６）
次に本発明の第６の実施例について説明する。本実施例の構成を示すブロック図は、第５の実施例同様の図８である。
【００２９】
以下、本実施例の動作について説明する。使用状態判断手段９が、人不使用と判断し長時間不使用を報知して通電を遮断するまでの動作、重み付け生活学習手段１６が不使用時間帯を学習し報知する動作は、実施例５と同様である。図１０は、実施例５で示した月曜の１ヶ月間のデータを学習した結果の通電ＯＮ／ＯＦＦタイミングを示している。重み付け生活学習手段１６が、１時間毎の不使用度合いを学習し、さらに不使用度合いが所定値以上（本実施例では７５％以上）の時間帯を「不使用時間帯は２２時〜翌朝６時」と学習して、不使用時間帯の開始時刻、即ち２２時時点で機器接続部ＯＮ／ＯＦＦ手段１４でジャーポット４と本体１との接続をＯＦＦし通電を遮断し、不使用時間帯終了時刻、即ち６時の所定時間前（本実施例では通常家庭用ジャーポットが満水状態で沸き上がるまでの時間に余裕をみた時間である３０分前）に機器接続部ＯＮ／ＯＦＦ手段１４でジャーポット４と本体１との接続をＯＮし通電する。尚、本実施例では、不使用時間帯の連続時間が１時間未満の場合は、その時間帯について通電制御は行わないものとした。
【００３０】
以上のように本実施例によれば、使用者が長時間使用していない場合を学習し重み付け結果に従い自動ＯＮ／ＯＦＦすることで使用者が意識することなくより自分の生活に合わせた節電ができるジャーポット用電力アダプタを実現するものである。
【００３１】
（実施例７）
次に本発明の第７の実施例について説明する。図１１は本実施例の構成を示すブロック図である。本実施例では、実施例６の構成に加えて、接続機器選択手段１７を備えている。
【００３２】
以下、本実施例の動作について説明する。使用者は、ジャーポット４を本体１の機器接続部５に接続する前に、接続機器選択手段１７で予めＪＰ（ジャーポット）の位置に合わせておく。以下、使用状態判断手段９が、長時間不使用と判断し報知するまでの動作は、実施例１と同様である。もし、接続機器選択手段１７でＪＰ（ジャーポット）が選択されていない場合は、ジャーポットに関する保温電力の検出や不使用状態の判断は一切行われない。不使用状態の判断は、接続機器選択手段１７で選択された機器に合わせたアルゴリズムで行われる。
【００３３】
以上のように本実施例によれば、他の機器用にも人使用状態判断のアルゴリズムを変更することで対応できるジャーポット用電力アダプタを実現するものである。
【００３４】
【発明の効果】
請求項１に記載した発明は、交流電源コンセントへの電源接続部と、機器との機器接続部と、定期的に機器に流れる電流を検出する電流検出手段と、前記電流検出手段の検出した結果から機器の消費電力を求める電力演算手段と、所定時間内の電力計測結果から保温ヒータＯＮ時の電力を検出する保温電力検出手段と、使用状態判断手段と、報知手段を備え、前記使用状態判断手段は、所定時間以上、前記保温電力検出手段が検出した保温電力以外が検出されず、保温電力のＯＮ／ＯＦＦパターンのばらつきが所定値未満の場合に、人不使用と判断し報知する構成として、使用者が長時間使用していない場合に報知することで使用者がその場にいるときはもちろん、あとで傍に来た時にも省エネ意識を喚起し、使用者が意識的に長時間不使用時はＯＦＦできるジャーポット用電力アダプタを実現するものである。
【００３５】
請求項２に記載した発明は、重み付け生活学習手段を備え、前記重み付け生活学習手段は、１日内で前記使用状態判断手段が人不使用と判断した時間帯を最新の所定期間について記憶して不使用度合いを重み付けし不使用度合いを報知する構成として、使用者が長時間使用していない場合を学習し重み付け結果を予測報知することで使用者が特別な操作なしに自分の生活での電力の無駄がより詳しくわかり節電のめやすがわかるジャーポット用電力アダプタを実現するものである。
【００３６】
請求項３に記載した発明は、機器接続部ＯＮ／ＯＦＦ手段を備え、前記重み付け生活学習手段が学習した人不使用度合いが所定値以上の時間帯の開始時刻に前記機器接続部ＯＮ／ＯＦＦ手段をＯＦＦして機器の通電を遮断することと、前記重み付け生活学習手段が学習した人不使用度合いが所定値以上の時間帯の終了時刻の所定時間前に前記機器接続部ＯＮ／ＯＦＦ手段をＯＮして機器に通電を行うことの、一方または両方を行う構成として、使用者が長時間使用していない場合を学習し重み付け結果に従い自動ＯＮ／ＯＦＦすることで使用者が意識することなくより自分の生活に合わせた節電ができるジャーポット用電力アダプタを実現するものである。
【００３７】
請求項４に記載した発明は、接続機器選択手段を備え、前記接続機器選択手段は選択肢の１つにジャーポットを含み、ジャーポットが選択された時に機能する構成として、他の
機器用にも人使用状態判断のアルゴリズムを変更することで対応できるジャーポット用電力アダプタを実現するものである。
【図面の簡単な説明】
【図１】  本発明の第１の実施例であるジャーポット用電力アダプタの構成を示すブロック図
【図２】  同、第１の実施例であるジャーポット用電力アダプタの電力演算手段が算出した計測開始１時間分の電力値のグラフ
【図３】  同、第１の実施例であるジャーポット用電力アダプタの電力演算手段が算出した出湯あるいは注水等何も行わない場合の保温時電力のグラフ
【図４】  同、第２の実施例であるジャーポット用電力アダプタの構成を示すブロック図
【図５】  同、第３、第４の実施例であるジャーポット用電力アダプタの構成を示すブロック図
【図６】  同、第３の実施例であるジャーポット用電力アダプタの使用状態判断手段の月曜日の判断結果と生活学習手段の学習結果を示す図
【図７】  同、第４の実施例であるジャーポット用電力アダプタの通電ＯＮ／ＯＦＦタイミングを示す図
【図８】  同、第５、第６の実施例であるジャーポット用電力アダプタの構成を示すブロック図
【図９】  同、第５の実施例であるジャーポット用電力アダプタの使用状態判断手段の月曜日の判断結果と重み付け生活学習手段の学習結果を示す図
【図１０】  同、第６の実施例であるジャーポット用電力アダプタの通電ＯＮ／ＯＦＦタイミングを示す図
【図１１】  同、第７の実施例であるジャーポット用電力アダプタの構成を示すブロック図
【符号の説明】
１    本体
２    電力線
３    電源接続部
４    ジャーポット
５    機器接続部
６    電流検出手段
７    電力演算手段
８    保温電力検出手段
９    使用状態判断手段
１０  報知手段
１１  保温ヒータＯＮレベル
１２  保温ヒータＯＦＦレベル
１３  保温電力以外の電力
１４  機器接続部ＯＮ／ＯＦＦ手段
１５  生活学習手段
１６  重み付け生活学習手段
１７  接続機器選択手段
【図１】
0004200253.tif 000002
【図２】
0004200253.tif 000003
【図３】
0004200253.tif 000004
【図４】
0004200253.tif 000005
【図５】
0004200253.tif 000006
【図６】
0004200253.tif 000007
【図７】
0004200253.tif 000008
【図８】
0004200253.tif 000009
【図９】
0004200253.tif 000010
【図１０】
0004200253.tif 000011
【図１１】
0004200253.tif 000012